(57)【要約】【課題】両面にラインセンサを設けるものにおいて、表裏の濃度差の発生を防止し、画質（濃度）を簡単に均一に調整できる画像形成装置を提供する。【解決手段】予め表面に４段階の濃さの濃度印刷がなされ、それぞれの濃度印刷の下方に各濃度値が記され、裏面に濃度が連続的に変化する印刷が施され、その右横に対応する濃度値及び目盛りが記された濃度見本を用意する。表面読取部９Ａで濃度見本の表面（Ａ面）を読み取り（ＳＴ２）、同様に、裏面読取部９Ｂで濃度見本の裏面（Ｂ面）を読み取り（ＳＴ３）、次に読み取りＡ面の多値データをプリントする（ＳＴ４）とともに、読み取りＢ面の多値データをプリントする（ＳＴ５）。両プリントを見て、Ａ面と等しい濃度のＢ面の濃度部を抽出し、それぞれに記されている濃度値の差を求め、その差を補正値として設定入力する（ＳＴ６）。【選択図】      図５
2004357074.tif 000002
【特許請求の範囲】
【請求項１】
表裏面にそれぞれ読取ラインセンサを備えた両面読取部と、濃度の変化と濃度値とが対応する２つの濃度見本を両面読取部で読み取り、記憶する記憶手段と、この記憶された２つの濃度見本を印字する手段と、これらの印字画像の印字濃度と濃度値との対応が両印字画像で差異がある場合に、濃度補正指示を入力するための手段と、この指示入力に応答して、表面読取及び／又は裏面読取に対応する画像処理パラメータを補正する手段とを備えたことを特徴とする画像形成装置。
【請求項２】
同じ濃度見本を表裏面の読取ラインセンサで読み取る両面読取部と、予め濃度見本の座標位置と濃度との関係を記憶しておく記憶手段と、前記表面ラインセンサによる濃度見本の読み取りデータと裏面ラインセンサによる読み取りデータとに基づいて、画像処理におけるパラメータを補正する手段とを備えることを特徴とする画像形成装置。
【請求項３】
原稿搬送路を挟んで両側にそれぞれ読取ラインセンサを備えた両面読取部と、両面画質調整モードに設定するための手段と、読取ラインセンサによって読み取った原稿の読取画像データを印字する手段と、両面画質調整モードにおいて、表裏両面の読取ラインセンサにより、原稿の表裏両面の読み取りを個別に行って、表裏両面の読取画像を印字させる制御手段とを備え、制御手段は、両面画質調整モードでの読取画像の印字に伴って、自動的に両面画質調整操作を受け付けるモードに移行させることを特徴とする画像形成装置。
【発明の詳細な説明】
【０００１】
【発明の属する技術分野】
この発明は、複写装置、ファクシミリ装置、ファクシミリ機能・複写機能等の多機能を有する複合機等の画像形成装置に関する。
【０００２】
【従来の技術】
一般に、複写装置、ファクシミリ装置、複合機等の画像形成装置において、両面を一度に読み込める機械があるが、通常は一度読んだ原稿を機械的に裏返し、再度読み取ることで両面読みを実現している。また、両面読み取りの他の方法として、表裏に別々のラインセンサ（ＣＣＤ、ＣＩＳ等）を設けて読み取る方法がある。
【０００３】
ところで、従来、両面読み取りに関し、両面印刷時の表裏での濃度歪を補正するため、同じ画像を両面で印刷し、印刷した表面画像及び裏面画像をそれぞれ読み取り、それらの読み取りデータに基づいて、自動的に補正する技術が開示されている（例えば、特許文献１）。
【０００４】
【特許文献１】
特開平９−２７８７９号公報
【０００５】
【発明が解決しようとする課題】
上記した両面読み取りで、表裏にラインセンサを設ける方法では、表と裏でセンサが異なるため、両面で濃度差が発生しないように画質の調整が難しいという問題がある。なお、上記特許文献１に記載の技術は、両面読み取りでも、最初表面を読み取り、次に表裏を裏返して裏面を読み取る方法に関するものなので、表裏にラインセンサを設ける方法には、直接採用し難いという問題がある。
【０００６】
この発明は上記問題点に着目してなされたものであって、両面にラインセンサを設けるものにおいて、表裏の濃度差の発生を防止し、画質（濃度）を簡単に均一に調整できる画像形成装置を提供することを目的としている。
【０００７】
【課題を解決するための手段】
この発明の画像形成装置は、表裏面にそれぞれ読取ラインセンサを備えた両面読取部と、濃度の変化と濃度値とが対応する２つの濃度見本を両面読取部で読み取り、記憶する記憶手段と、この記憶された２つの濃度見本を印字する手段と、これらの印字画像の印字濃度と濃度値との対応が両印字画像で差異がある場合に、濃度補正指示を入力するための手段と、この指示入力に応答して、表面読取及び／又は裏面読取に対応する画像処理パラメータを補正する手段とを備えている。
【０００８】
またこの発明の画像形成装置は、同じ濃度見本を表裏面の読取ラインセンサで読み取る両面読取部と、予め濃度見本の座標位置と濃度との関係を記憶しておく記憶手段と、前記表面ラインセンサによる濃度見本の読み取りデータと裏面ラインセンサによる読み取りデータとに基づいて、画像処理におけるパラメータを補正する手段とを備えている。
【０００９】
また、この発明の画像形成装置は、原稿搬送路を挟んで両側にそれぞれ読取ラインセンサを備えた両面読取部と、両面画質調整モードに設定するための手段と、読取ラインセンサによって読み取った原稿の読取画像データを印字する手段と、両面画質調整モードにおいて、表裏両面の読取ラインセンサにより、原稿の表裏両面の読み取りを個別に行って、表裏両面の読取画像を印字させる制御手段とを備え、制御手段は、両面画質調整モードでの読取画像の印字に伴って、自動的に両面画質調整操作を受け付けるモードに移行させる。
【００１０】
【発明の実施の形態】
以下、実施の形態により、この発明をさらに詳細に説明する。図１は、この発明の一実施形態ファクシミリ装置の構成を示すブロック図である。
【００１１】
この実施形態ファクシミリ装置は、図１に示すように、ＮＣＵ１と、ＭＯＤＥＭ２と、ＲＯＭ３と、ＲＡＭ４と、画像メモリ５と、ＭＰＵ６と、表示部７と、操作部８と、画像読取部９と、ＣＯＤＥＣ１０と、プリンタ１１と、バス１２とを備えている。
【００１２】
ＮＣＵ１は、電話回線１３との接続を制御するとともに、相手先の電話番号（＝対応したダイヤル信号）の送出機能、及び着信を検出するための機能を備えている。ＭＯＤＥＭ２は、ＩＴＵ−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。ＲＯＭ３は装置全体を制御するためのプログラムを記憶する。ＲＡＭ４は、ファクシミリ装置に関する各種情報を一時的に記憶する。画像メモリ５は受信画像データや画像読取部９で読み取られた画像データを一時的に記憶する。
【００１３】
ＭＰＵ６は、ＲＯＭ３に記憶されたプログラムに従い、装置を構成する各部を制御する。表示部７は装置の動作状態等の各種情報、操作手順等のメッセージ等の表示を行う。操作部８はテンキー、ワンタッチキー、スタートキー、その他のキーで構成される。画像読取部９は原稿上の画像データを読み取って、白黒２値のイメージデータを出力する。この画像読取部９は、原稿の表裏を同時に読み取るために表面読取部９Ａと裏面読取部９Ｂとを有する。これら両面読取部９Ａ及び裏面読取部９Ｂには、それぞれ個別に画像読取用のラインセンサを有する。
【００１４】
ＣＯＤＥＣ１０は、送信すべき画データを符号化し、また受信した画データを復号する。プリンタ１１は、電子写真式のプリンタよりなり、受信画像データやコピー動作において、画像読取部９で読み取られた原稿の画像データを記録紙上に記録する。もっとも、ここに示す実施形態ファクシミリ装置のハード構成は、特に新規なものではなく、各回路構成自体は、既によく知られたものである。
【００１５】
画像読取部９は、図２に示すように、表面読取部９Ａと裏面読取部９Ｂとから構成されている。表面読取部９Ａは、ＣＣＤラインセンサ２１Ａと、アナログフロントエンド２２Ａと、シェーディング補正回路２３Ａと、シェーディングＲＡＭ２４Ａと、ガンマ補正回路（ＲＡＭ）２５Ａと、２値化回路２６Ａとを備えている。裏面読取部９Ｂも同様の構成を有する。
【００１６】
ＣＣＤラインセンサ２１Ａ、２１Ｂは、原稿の１走査線の画像を読み取り、所定間隔をおいて次の走査線画像を順次に読み取る。ＣＣＤラインセンサ２１Ａは原稿の表面を、ＣＣＤラインセンサ２１Ｂは原稿の裏面を読み取る。アナログフロントエンド２２Ａ、２２Ｂは、ＣＣＤラインセンサ２１Ａ、２１Ｂの出力をアナログ増幅するとともに、デジタルデータで多値化出力する。シェーディングＲＡＭ２４Ａ、２４Ｂは、原稿が白用紙の場合のアナログフロントエンド２２Ａ、２２Ｂの出力をシェーディング補正用に記憶している。シェーディング補正回路２３Ａ、２３Ｂは、原稿読み取り時のアナログフロントエンド２２Ａ、２２Ｂの出力をシェーディングＲＡＭ２４Ａ、２４Ｂに記憶してあるシェーディング補正データにより、シェーディング補正し、出力する。ガンマ補正回路２５Ａ、２５Ｂは、所定の入／出力特性を有し、ガンマ補正を行う。ガンマ補正回路２５Ａ、２５Ｂは、一般的に画質調整用に使用される。２値化回路２６Ａ、２６Ｂは、所定のしきい値でガンマ補正回路２５Ａ、２５Ｂの出力を２値化する。この２値化回路２６Ａ、２６Ｂは、ガンマ補正回路２５に含むものであっても良い。
【００１７】
この実施形態ファクシミリ装置では、予め、表と裏に、それぞれ個別に図３、図４に示す印刷がなされた１枚の濃度見本が用意される。図３は、濃度見本が印刷されるＡ面を示しており、ここでは、４段階の濃さの濃度印刷がなされており、それぞれの濃度印刷の下方に各濃度値２００、１５０、１００、５０が記されている。図４は、濃度見本が印刷されるＢ面を示しており、ここでは濃度が連続的に変化される印刷が施されるとともに、その右横に対応する濃度値がＡ面より細かく分かるように、濃度値１０きざみの目盛りが示されている。
【００１８】
この実施形態ファクシミリ装置では、この濃度見本を用いて、表裏の濃度差を補正する。図５に示すフロー図を参照して、調整処理動作を説明する。先ず、ステップＳＴ１においては、調整モードか否かを判定する。使用者が操作部８で調整モードを設定していると、判定ＹＥＳで、ステップＳＴ２へ移行する。
【００１９】
ステップＳＴ２においては、画像読取部９にセットされている濃度見本のＡ面の画像をＣＣＤラインセンサ２１Ａで読み取る。また、ステップＳＴ３においては、セットされている濃度見本のＢ面の画像をＣＣＤラインセンサ２１Ｂで読み取る。そして、それぞれメモリに記憶する。次に、ステップＳＴ４へ移行する。
【００２０】
ステップＳＴ４においては、読み取り、記憶されている濃度見本のＡ面の画像をプリンタ１１でプリントする。また、ステップＳＴ５においては、同じく読み取り、記憶されている濃度見本のＢ面の画像をプリントする。次に、ステップＳＴ６へ移行する。ここで使用者は、プリントされた濃度見本Ａ面と濃度見本Ｂ面を目視で比較する。数字が同じであれば、同じ濃度で印刷されるはずである。しかし、センサの特性が異なるため、異なった濃度で印刷されると考えられる。そこで、Ａ面の濃度見本（例えば５０）と、同じとなる部分をＢ面で探す。捜し出した同じ濃度のその横に並ぶ数字がＡ面の読み込み濃度に対するＢ面の読み込み濃度となる。Ｂ面の同じ濃度となる横の数値が、例えば４２であるとすると、両者の濃度差は８となる。ステップＳＴ６においては、この濃度差８を、例えば補正値として、操作部８よりガンマ補正回路２５Ｂに設定する。この補正値の設定により、ガンマ補正回路２５Ｂは濃度５０の入力に対して、出力を４２とする特性に補正される。他のＡ面の濃度１００、１５０、２００に対しても同様の補正を行う。濃度見本Ａ面と濃度見本Ｂ面の入力／出力濃度特性を例示すると、図７に示すものとなる。したがって、ガンマ曲線におけるＡ面の４２の濃度に対し、Ｂ面の５０の濃度を４２まで下げると、濃度は同じレベルに補正される。
【００２１】
次に、補正済後の実際の両面プリント時の処理を図６に示すフロー図を参照して説明する。ステップＳＴ１１においては、両面プリントモードか否かを判定する。使用者が操作部８で両面プリントモードを設定していると、判定ＹＥＳで、ステップＳＴ１２へ移行する。ステップＳＴ１２においては、画像読取部９にセットされている原稿のＡ面をラインセンサ２１Ａで読み取る。また、ステップＳＴ１３においては、同じく画像読取部９にセットされている原稿のＢ面をラインセンサ２１Ｂで読み取る。そして、それぞれ読み取ったデータをメモリに記憶する。次に、ステップＳＴ１４へ移行する。ステップＳＴ１４において、設定されている補正データをＢ面のデータから減算する。次に、ステップＳＴ１５へ移行する。
【００２２】
ステップＳＴ１５においては、読み取り原稿Ａ面をプリンタ１１によりプリントする。また、ステップＳＴ１６において、読み取り原稿Ｂ面をプリンタ１１によりプリントする。
【００２３】
上記実施形態においては、表裏に異なる濃度見本を印刷したものを、それぞれ表裏のラインセンサで読み取り、それぞれ表裏で印刷したものの濃度を比較して、補正値を求めているが、他の実施形態として、表裏を同じ濃度見本とした１枚の読取用の見本（例えば、図３に示す濃度見本）を用意し、表裏の同じ濃度見本をそれぞれ表裏のＣＣＤラインセンサ２１Ａ、２１Ｂで読み取り、得られた多値化データから補正データを求めても良い。
【００２４】
この場合は、図８に示すように、シェーディング補正回路２３Ａより出力される濃度見本の表面データと、シェーディング補正回路２３Ｂより出力される濃度見本の裏面データとを受けて濃度差演算回路２７で濃度見本のＸＹ座標の各点毎に濃度差を算出する。この演算された差値を、濃度の大なる方のガンマ補正回路に入力し、補正データとして記憶しておく。例えば、表面の読み取り濃度の方が大なる場合には、ガンマ補正回路２５Ａに、その補正データを記憶しておく。実際に印字の際には、ガンマ補正回路２５Ａに入力されるデータから補正データを減算して、ガンマ補正回路２５Ａ、２５Ｂの入力／出力特性を揃えて印字を行う。入力／出力特性の揃え方としては、表裏の読取濃度の中間値となるように、差値の１／２を濃度の小さい入力の方に加算し、濃度の大きい入力の方から差値の１／２を減算する補正を行っても良い。
【００２５】
この発明の他の実施形態として、読取ラインセンサを、原稿搬送路を挟んで両側に配置し、しかも表面用の読取ラインセンサと裏面用の読取ラインセンサは異なる読取方式のもの（例えば、ＣＣＤとＣＩＳ）を採用し、両面画質調整モードに設定すると、表裏両読取ラインセンサにより、原稿の表裏両面の読み取りを個別に行い、その表裏両面の読取画像を印字するようにしても良い。更に、この実施形態では、両面画質調整モードでの読取画像の印字に伴い、自動的に両面画質調整操作を受け付けるモードに移行するように制御される。ここで、受け付けモードへの移行は、受け付け画面を表示することによって行う。また、ここでの両面画質調整には、濃度のみならず、カラーの色調整なども含まれるものであっても良い。また、両面画質調整時の１枚の見本原稿は表裏を同時に、つまり１回の搬送で読み取っても良いし、１枚の同一見本原稿を１回目は表用ラインセンサで、２回目は裏用のラインセンサで読み取っても良い。
【００２６】
【発明の効果】
この発明によれば、両面の濃度差を、予め用意した濃度見本を使用して補正値を求め、両面の濃度が等しくなるように補正値を設定しているので、表面読み取り画像と裏面読み取り画像の濃度差が発生するのを防止できる。
【００２７】
また、この発明によれば、同じ濃度見本を表裏面の読取ラインセンサで読み取り、表面ラインセンサによる濃度見本の読み取りデータと裏面ラインセンサによる読み取りデータとに基づいて、画像処理におけるパラメータを補正するので、補正のための操作を行うことなく、簡単に補正値を設定できる。
【図面の簡単な説明】
【図１】この発明の一実施形態であるファクシミリ装置の構成を示すブロック図である。
【図２】同ファクシミリ装置の画像読取部の構成を示すブロック図である。
【図３】同ファクシミリ装置で使用するため予め用意される濃度見本のＡ面を示す図である。
【図４】同濃度見本のＢ面を示す図である。
【図５】同実施形態ファクシミリ装置における調整処理を説明するフロー図である。
【図６】同実施形態ファクシミリ装置における両面プリント処理を説明するフロー図である。
【図７】同実施形態ファクシミリ装置の両面ラインセンサの入力／出力特性を示す図である。
【図８】この発明の他の実施形態の画像読取回路の一部を示す回路ブロック図である。
【符号の説明】
１                ＮＣＵ
２                ＭＯＤＥＭ
３                ＲＯＭ
４                ＲＡＭ
５                画像メモリ
６                ＭＰＵ
７                表示部
８                操作部
９                画像読取部
１０              ＣＯＤＥＣ
１１              プリンタ
２１Ａ、２１Ｂ    ＣＣＤラインセンサ
２２Ａ、２２Ｂ    アナログフロントエンド
２３Ａ、２３Ｂ    シェーディング補正回路
２４Ａ、２４Ｂ    シェーディングＲＡＭ
２５Ａ、２５Ｂ    ガンマ補正回路
２６Ａ、２６Ｂ    ２値化回路
【図１】
2004357074.tif 000003
【図２】
2004357074.tif 000004
【図３】
2004357074.tif 000005
【図４】
2004357074.tif 000006
【図５】
2004357074.tif 000007
【図６】
2004357074.tif 000008
【図７】
2004357074.tif 000009
【図８】
2004357074.tif 000010